(57)【要約】【課題】通信ケーブルの天井面内への配線工事を不要とし、かつ連装された電動ブラインドのいずれかを取り外しても、通信ケーブルを介して他の電動ブラインドを操作可能とする通信ケーブル接続装置を提供する。【解決手段】複数の電動ブラインドを通信ケーブルで接続して、該通信ケーブルに供給される制御信号で各電動ブラインドを一括制御可能とした連装電動ブラインドにおいて、電動ブラインドのヘッドボックス１２にコネクタボックス２４を着脱可能に取着し、ヘッドボックス１２外に配設される外部通信ケーブル１３をコネクタボックス２４を介して接続し、各コネクタボックス２４とヘッドボックス１２内のモータ制御部２３とを内部通信ケーブル２５で着脱可能に接続した。【選択図】図１
2008144437.tif 000002
【特許請求の範囲】
【請求項１】
複数の電動ブラインドを通信ケーブルで接続して、該通信ケーブルに供給される制御信号で各電動ブラインドを一括制御可能とした連装電動ブラインドにおいて、
前記電動ブラインドのヘッドボックスにコネクタボックスを着脱可能に取着し、前記ヘッドボックス外に配設される外部通信ケーブルを前記コネクタボックスを介して接続し、前記各コネクタボックスと前記ヘッドボックス内のモータ制御部とを内部通信ケーブルで着脱可能に接続したことを特徴とする連装電動ブラインドの通信ケーブル接続装置。
【請求項２】
前記コネクタボックスには、
前記外部通信ケーブルの端部に設けられたコネクタを嵌合可能とした複数のソケットと、
前記ソケットに接続された複数の外部通信ケーブルを電気的に接続するとともに、該外部通信ケーブルと前記内部通信ケーブルとを電気的に接続する配線基板と
を備えたことを特徴とする請求項１記載の連装電動ブラインドの通信ケーブル接続装置。
【請求項３】
前記ヘッドボックスには、前記外部通信ケーブルを収容する収容溝を備えたことを特徴とする請求項１又は２記載の連装電動ブラインドの通信ケーブル接続装置。
【請求項４】
前記収容溝を、前記ヘッドボックスの上面を覆うカバーに設けたことを特徴とする請求項３記載の連装電動ブラインドの通信ケーブル接続装置。
【発明の詳細な説明】
【技術分野】
【０００１】
この発明は、窓面に沿って連装される電動ブラインドの通信ケーブル接続装置に関するものである。
【背景技術】
【０００２】
窓面に沿って連装される電動ブラインドでは、共通の操作スイッチあるいはコントローラーによりその動作を一括して制御可能としたものがある。図６は、複数の電動ブラインドを接続する接続配線の従来例を示す。
【０００３】
天井面１内にはあらかじめ通信ケーブル２と電源配線３が配設される。天井面１の下方に設置される複数の電動ブラインド４は、それぞれコネクタ５ａを介して電源配線３に接続され、電源ボックス６からそれぞれ電源電圧が供給される。
【０００４】
また、各電動ブラインド４はそれぞれコネクタ５ｂを介して通信ケーブル２に接続される。通信ケーブル２には各電動ブラインド４を一括して操作する操作スイッチあるいはコントローラーが接続される。そして、各電動ブラインド４は通信ケーブル２を介して入力される制御信号により動作する。
【０００５】
特許文献１には、複数の電動ブラインドに制御信号を供給する通信ケーブルを、ヘッドボックス内に配設される内部ケーブルと、各ヘッドボックス間でコネクタを介して内部ケーブルを接続する外部ケーブルとで構成した例が開示されている。
【特許文献１】実用新案登録第２５８１９９０号公報
【発明の開示】
【発明が解決しようとする課題】
【０００６】
図６に示す電動ブラインドでは、通信ケーブル２が天井面１内に配設されるため、電動ブラインド４の設置に先立って通信ケーブル２を天井面１内に配設する工事が必要となる。従って、通信ケーブル２の配線工事が煩雑となるという問題点がある。
【０００７】
特許文献１に記載された電動ブラインドでは、通信ケーブルは各電動ブラインドのヘッドボックス内に配設される内部ケーブルと、各ヘッドボックス間を接続する外部ケーブルとで構成されるため、通信ケーブルを天井面内に配設するための工事は不要である。
【０００８】
しかし、通信ケーブルが各電動ブラインドのヘッドボックス内に配設されるため、故障修理のためいずれか一台の電動ブラインドを取り外すと、通信ケーブルが途中で切断された状態となる。従って、いずれか一台の電動ブラインドを取り外した状態では、残りの電動ブラインドのいずれかにおいて、通信ケーブルを介した操作が不能となる場合があるという問題点がある。
【０００９】
この発明の目的は、通信ケーブルの天井面内への配線工事を不要とし、かつ連装された電動ブラインドのいずれかを取り外しても、通信ケーブルを介して他の電動ブラインドを操作可能とする通信ケーブル接続装置を提供することにある。
【課題を解決するための手段】
【００１０】
請求項１では、複数の電動ブラインドを通信ケーブルで接続して、該通信ケーブルに供給される制御信号で各電動ブラインドを一括制御可能とした連装電動ブラインドにおいて、前記電動ブラインドのヘッドボックスにコネクタボックスを着脱可能に取着し、前記ヘッドボックス外に配設される外部通信ケーブルを前記コネクタボックスを介して接続し、前記各コネクタボックスと前記ヘッドボックス内のモータ制御部とを内部通信ケーブルで着脱可能に接続した。
【００１１】
請求項２では、前記コネクタボックスには、前記外部通信ケーブルの端部に設けられたコネクタを嵌合可能とした複数のソケットと、前記ソケットに接続された複数の外部通信ケーブルを電気的に接続するとともに、該外部通信ケーブルと前記内部通信ケーブルとを電気的に接続する配線基板とを備えた。
【００１２】
請求項３では、前記ヘッドボックスには、前記外部通信ケーブルを収容する収容溝を備えた。
請求項４では、前記収容溝を、前記ヘッドボックスの上面を覆うカバーに設けた。
【発明の効果】
【００１３】
本発明によれば、通信ケーブルの天井面内への配線工事を不要とし、かつ連装された電動ブラインドのいずれかを取り外しても、通信ケーブルを介して他の電動ブラインドを操作可能とする通信ケーブル接続装置を提供することができる。
【発明を実施するための最良の形態】
【００１４】
以下、この発明を具体化した一実施の形態を図面に従って説明する。図５は、窓面に沿って連装される複数の電動ブラインドにおける通信ケーブルの接続構成を示す。前記従来例と同一構成部分は、同一符号を付して説明する。
【００１５】
天井面１内にはあらかじめ電源配線３が配設される。天井面１の下方に設置される複数の電動ブラインド１１は、それぞれコネクタ５ａを介して電源配線３に接続され、電源ボックス６からそれぞれ電源が供給される。
【００１６】
各電動ブラインド１１に制御信号を送信する通信ケーブルは、隣接する電動ブラインド１１のヘッドボックス１２を順次接続する複数本の外部通信ケーブル１３で構成され、天井面１内には外部通信ケーブル１３が配設されない。外部通信ケーブル１３の端部には各電動ブラインド１１を一括して操作する操作スイッチ（図示しない）あるいはコントローラーが接続される。
【００１７】
図１は、前記電動ブラインド１１の具体的構成を示す。電動ブラインド１１は、ヘッドボックス１２から複数本のラダーコード１５を介して多数段のスラット１６が吊下支持され、ラダーコード１５の下端にボトムレール１７が吊下支持されている。前記ラダーコード１５の上端部は、ヘッドボックス１２内においてラダーコード吊下装置１８に支持されている。
【００１８】
前記スラット１６の長手方向両側部には昇降テープ１９が挿通され、その昇降テープ１９の下端は前記ボトムレール１７に接続され、ヘッドボックス１２内において上端部は昇降テープ巻取り装置２０に巻着されている。
【００１９】
前記ラダーコード吊下装置１８及び昇降テープ巻取り装置２０には駆動軸２１が挿通され、その駆動軸２１の一方の端部はモータ２２の出力軸に連結されている。従って、駆動軸２１はモータ２２の作動により正逆回転される。そして、駆動軸２１が回転されると、ラダーコード吊下装置１８及びラダーコード１５を介して各スラット１６が角度調節される。また、駆動軸２１が正転されると、昇降テープ巻取り装置２０により昇降テープ１９が巻き取られ、ボトムレール１７が引き上げられてスラット１６が引き上げられ、駆動軸２１が逆転されると、昇降テープ巻取り装置２０により昇降テープ１９が巻き戻され、ボトムレール１７及びスラット１６が下降する。
【００２０】
前記ヘッドボックス１２内には前記モータ２２の動作を制御するモータ制御部２３が配設され、制御配線で前記モータ２２と接続されている。前記モータ制御部２３は、ヘッドボックス１２の一端部に設けられるコネクタボックス２４と内部通信ケーブル２５を介して接続され、そのコネクタボックス２４に前記外部通信ケーブル１３が接続される。
【００２１】
そして、操作スイッチあるいはコントローラーから送信された制御信号が外部通信ケーブル１３及び内部通信ケーブル２５を介してモータ制御部２３に供給される。
前記コネクタボックス２４の具体的構成を図２〜図４に従って説明する。前記ヘッドボックス１２の端部にはキャップ２６が取着され、そのキャップ２６には図４に示すようにヘッドボックス１２内に貫通する収容孔２７が設けられている。
【００２２】
前記コネクタボックス２４は、合成樹脂で前記収容孔２７に嵌合可能とした直方体状に形成され、その背面側に配線基板２８が取着されている。また、コネクタボックス２４の背面には、配線基板２８を覆うカバー２９が取着されている。
【００２３】
カバー２９には前記内部通信ケーブル２５を構成する一次側内部通信ケーブル２５ａが挿通され、その一次側内部通信ケーブル２５ａの基端部は、前記配線基板２８に半田付けされている。また、一次側内部通信ケーブル２５ａの先端部にはコネクタ３０が取着され、そのコネクタが前記内部通信ケーブル２５を構成する二次側内部通信ケーブルの先端に取着されたコネクタ（図示しない）に嵌着されるようになっている。そして、二次側ケーブルの基端が前記モータ制御部２３に接続されて、配線基板２８とモータ制御部２３が電気的に接続されている。
【００２４】
前記コネクタボックス２４の前面には複数のソケット３１ａが設けられ、前記外部通信ケーブル１３の端部に取着されたコネクタ３１ｂを嵌着可能となっている。そして、コネクタボックス２４には両側に隣接する電動ブラインド１１から延びる少なくとも２本の外部通信ケーブル１３を接続可能となっている。
【００２５】
なお、コネクタ３１ｂは既成のモジュラーコネクタが使用され、ソケット３１ａに差し込むことにより同ソケット３１ａに自動的に保持され、操作片３１ｃを押圧することにより容易に取り外し可能となっている。
【００２６】
また、所定のソケット３１ａに２本の外部通信ケーブル１３を差し込むと、一方の外部通信ケーブル１３が入力側ケーブルとなり、他方の外部通信ケーブル１３が出力側ケーブルとなり、入力側ケーブルに供給された制御信号は、配線基板２８を通過して出力側ケーブルに伝達される。
【００２７】
同時に、入力側ケーブルに供給された制御信号は、配線基板２８及び内部通信ケーブル２５を介してモータ制御部２３に供給されるようになっている。
図３に示すように、前記コネクタボックス２４の上辺中央部には、背面側から前面に向かって延びる係止片３２が設けられ、その係止片３２の先端部には斜め上方に突出する操作部３３が形成されている。前記係止片３２の上面には上方へ山形に突出する突部３４が形成され、その突部３４の前端には垂直方向の段差部３５が形成されて、前記収容孔２７の開口部上縁３６に内側から係合可能となっている。
【００２８】
このような構成により、コネクタボックス２４を収容孔２７内に挿入すると、突部３４が収容孔２７の開口部上縁３６に当接して係止片３２が下方へ撓みながら収容孔２７内に進入する。そして、突部３４が収容孔２７の開口部上縁３６を乗り越えると、段差部３５が開口部上縁３６に係合して、コネクタボックス２４が収容孔２７内に保持される。
【００２９】
また、コネクタボックス２４を収容孔２７から取り外す場合には、操作部３３を下方へ押圧して係止片３２を下方へ撓ませ、段差部３５と開口部上縁３６との係合を解除する。そして、この状態でコネクタボックス２４を収容孔２７から引き出せば、コネクタボックス２４を収容孔２７から取り外すことができる。
【００３０】
図２に示すように、前記ヘッドボックス１２の上面を覆うカバー３７には２条の収容溝３８が形成され、それぞれ外部通信ケーブル１３を収容可能となっている。従って、コネクタボックス２４からヘッドボックス１２の反対側に隣接する電動ブラインド１１のコネクタボックス２４に接続される外部通信ケーブル１３が収容溝３８に収容されるようになっている。
【００３１】
上記のように構成された電動ブラインド１１では、図５に示すように、各電動ブラインド１１に電源が供給され、外部通信ケーブル１３で隣接する電動ブラインド１１が接続されている状態で、コントローラー等から外部通信ケーブル１３を介して制御信号が入力されると、その制御信号に基づいて各電動ブラインド１１が一斉に動作する。
【００３２】
一方、いずれかの電動ブラインド１１が故障した場合には、図４に示すように、当該電動ブラインド１１のコネクタボックス２４をキャップ２６の収容孔２７から取り外し、さらに一次側内部通信ケーブル２５ａのコネクタ３０を外す。そして、当該電動ブラインド１１をカーテンボックス等の設置場所から下ろして修理を行う。
【００３３】
ヘッドボックス１２から取り外したコネクタボックス２４を、カーテンボックス内に残すと、カーテンボックスから下ろした電動ブラインド１１以外の電動ブラインド１１は、外部通信ケーブル１３で接続された状態に維持される。
【００３４】
従って、外部通信ケーブル１３に供給される制御信号により、残りの電動ブラインド１１が一斉に動作する。
故障した電動ブラインド１１を修理した後は、当該電動ブラインド１１のヘッドボックス１２をカーテンレール内に設置し、コネクタ３０を接続するとともに、コネクタボックス２４をキャップ２６の収容孔２７に嵌合すると、すべての電動ブラインド１１を一斉に制御可能な状態に復帰する。
【００３５】
上記のような電動ブラインドの通信ケーブル接続装置では、次に示す作用効果を得ることができる。
（１）連装された電動ブラインド１１のうち、故障修理等のためにいずれかの電動ブラインド１１を設置位置から取り外しても、残りの電動ブラインド１１を外部通信ケーブル１３で接続した状態に維持することができる。従って、いずれかの電動ブラインド１１を設置位置から取り外しても、残りの電動ブラインド１１を一括して動作させることができる。
（２）外部通信ケーブル１３をヘッドボックス１２のカバー３７に設けた収容溝３８に収容することができるので、外部通信ケーブル１３を天井面内に配設することなく、外部通信ケーブル１３の無用な露出を防止することができる。従って、通信ケーブルの天井面内への配線工事を不要とすることができる。
（３）コネクタボックス２４をヘッドボックス１２から取り外し可能であるので、外部通信ケーブル１３をコネクタボックス２４に接続する際には、コネクタボックス２４を取り外してコネクタ３１ｂをソケット３１ａに嵌合することができる。従って、ヘッドボックス１２が設置されるカーテンボックス内が暗くても、外部通信ケーブル１３をコネクタボックス２４に正確にかつ容易に接続することができる。
【００３６】
上記実施の形態は、以下の態様で実施してもよい。
・外部通信ケーブル１３を収容する収容溝は、ヘッドボックス１２の側面あるいは下面でもよい。
【図面の簡単な説明】
【００３７】
【図１】一実施の形態の電動ブラインドを示す正面図である。
【図２】コネクタボックスを示す斜視図である。
【図３】コネクタボックスを示す縦断面図である。
【図４】ヘッドボックスから取り外したコネクタボックスを示す斜視図である。
【図５】一実施の形態の配線概要図である。
【図６】従来の配線概要図である。
【符号の説明】
【００３８】
１１…電動ブラインド、１２…ヘッドボックス、１３…外部通信ケーブル、２３…モータ制御部、２４…コネクタボックス、２５…内部通信ケーブル。
【図１】
2008144437.tif 000003
【図２】
2008144437.tif 000004
【図３】
2008144437.tif 000005
【図４】
2008144437.tif 000006
【図５】
2008144437.tif 000007
【図６】
2008144437.tif 000008